(57)【要約】      （修正有）【課題】撮像装置を横位置で撮影した時と縦位置で撮影した時とで、人物の服の色、背景等に影響されずに、被写体の撮影輝度が異なる事を防ぐ。【解決手段】傾斜センサーによるカメラの姿勢情報と測距手段による被写体の位置情報から、カメラの姿勢と被写体の位置により、外光測光、プリ発光測光後のストロボ使用時の重み付けテーブルを選択する。【選択図】図３
2006135391.tif 000002
【特許請求の範囲】
【請求項１】
光量調節用絞りを含む被写体像を作る撮像光学系と、
被写体輝度を測定する測光手段と、
被写体との距離情報と被写体の位置を測定する測距手段と、
ゲインの増量を制御する撮像感度調節手段と、
前記光量調節用絞りの開口径を制御する絞り制御手段と、
前記絞り制御手段と前記撮像感度調節手段を制御する露出制御手段と、
出力画像を表示する画像表示手段と、
ストロボの発光時間を制御し、またプリ発光から調光演算を行うＥ−ＴＴＬ調光制御手段、
を持つストロボ制御手段と、
カメラの姿勢情報を検出する傾斜センサと、
前記画像処理装置全体の制御を司るシステム制御手段とを有し、
前記システム制御手段は、前記傾斜センサによるカメラの姿勢情報と前記測距手段による被写体の位置情報から、カメラの姿勢と被写体の位置により、外光測光、プリ発光測光後のストロボ使用時の重み付けテーブルを選択できることを特徴とする撮像装置。
【請求項２】
前記システム制御手段は、カメラがポートレートモード時、前記傾斜センサによるカメラの姿勢情報と前記測距手段による被写体の位置情報から、カメラの姿勢と被写体の位置により、外光測光、プリ発光測光後のストロボ使用時の重み付けテーブルを選択でき、なおかつ前記重み付けテーブルが顔の位置の領域を強くした重み付けテーブルであることを特徴とする請求項１記載の撮像装置。
【請求項３】
光量調節用絞りを含む被写体像を作る撮像光学系と、
被写体輝度を測定する測光手段と、
被写体との距離情報と被写体の位置を測定する測距手段と、
ゲインの増量を制御する撮像感度調節手段と、
前記光量調節用絞りの開口径を制御する絞り制御手段と、
前記絞り制御手段と前記撮像感度調節手段を制御する露出制御手段と、
出力画像を表示する画像表示手段と、
ストロボの発光時間を制御し、またプリ発光から調光演算を行うＥ−ＴＴＬ調光制御手段、
を持つストロボ制御手段と、
カメラの姿勢情報を検出する傾斜センサと、
前記画像処理装置全体の制御を司るシステム制御手段とを有し、
前記システム制御手段は、前記傾斜センサによるカメラの姿勢情報と前記測距手段による被写体の位置情報から、カメラの姿勢と被写体の位置により、外光測光、プリ発光測光後のストロボ使用時の重み付けテーブルを選択できることを特徴とする撮像装置の制御方法。
【請求項４】
前記システム制御手段は、カメラがポートレートモード時、前記傾斜センサによるカメラの姿勢情報と前記測距手段による被写体の位置情報から、カメラの姿勢と被写体の位置により、外光測光、プリ発光測光後のストロボ使用時の重み付けテーブルを選択でき、なおかつ前記重み付けテーブルが顔の位置の領域を強くした重み付けテーブルであることを特徴とする請求項３記載の撮像装置の制御方法。
【発明の詳細な説明】
【技術分野】
【０００１】
本発明は、静止画像や動画像を撮像、記録、再生する撮像装置およびその制御方法に関する。
【背景技術】
【０００２】
従来プリ発光を行って、被写体反射光を測光し、その測光値をもとに本発光量を演算して、演算された発光量で本発光を行いストロボによる適正露光量得るストロボシステムは知られている（例えば、特許文献１参照）。
【特許文献１】特開２００１−３２６８５２号公報
【発明の開示】
【発明が解決しようとする課題】
【０００３】
従来のストロボ調光（以下、ＥＦ調光という）システムは、プリ発光の反射が返ってきた領域を採用し、前記情報に所定の重み付けをかけて調光演算を行っていて、カメラの姿勢（縦位置、横位置）の概念は無かった。ポートレートモード時の顔の撮影を目的とする場合、横位置で撮影した時と縦位置で撮影した時とでは、人物の服の色、背景等に影響され、顔の撮影輝度が異なる場合があった。
【０００４】
本発明は、以上の点に着目して成されたもので、横位置で撮影した時と縦位置で撮影した時とで、人物の服の色、背景等に影響されずに、被写体の撮影輝度が異なる事を防ぐ撮像装置およびその制御方法を提供することを目的とする。
【課題を解決するための手段】
【０００５】
上記課題を解決するため、本発明は、光量調節用絞りを含む被写体像を作る撮像光学系と、被写体輝度を測定する測光手段と、被写体との距離情報と被写体の位置を測定する測距手段と、ゲインの増量を制御する撮像感度調節手段と、前記光量調節用絞りの開口径を制御する絞り制御手段と、前記絞り制御手段と前記撮像感度調節手段を制御する露出制御手段と、出力画像を表示する画像表示手段と、ストロボの発光時間を制御し、またプリ発光から調光演算を行うＥ−ＴＴＬ調光制御手段を持つストロボ制御手段と、カメラの姿勢を検出する傾斜センサと、前記画像処理装置全体の制御を司るシステム制御手段とを有し、前記システム制御手段は、前記傾斜センサによるカメラの姿勢情報と前記測距手段による被写体の位置情報から、カメラの姿勢と被写体の位置により、外光測光、プリ発光測光後のストロボ使用時の重み付けテーブルを選択できることを特徴とする撮像装置を提供する。
【発明の効果】
【０００６】
本発明によれば、ＥＦ時、傾斜センサによるカメラの姿勢情報を利用し、ＥＦ用の重み付けテーブルを縦位置と横位置で用意し、選択可能にすることで、縦位置と横位置で撮影した場合の被写体の撮影輝度を同等にすることを可能とする。
【０００７】
また、さらにカメラがポートレートモード時、前記重み付けテーブルの顔の位置の領域の重み付けを強くする事により、縦位置と横位置で撮影した場合とで、人物の服の色や背景に影響されること無く、人物の顔の輝度を同等にすることを可能とする。
【発明を実施するための最良の形態】
【０００８】
以下、図面を参照して本発明の実施形態を説明する。
【実施例】
【０００９】
図１は、本発明の実施形態の構成を示す図である。
【００１０】
図１において、１００は画像処理装置である。
【００１１】
１０は変倍系レンズ群、１１は合焦系レンズ群、１２は絞り機能を備えるシャッター、１４は光学像を電気信号に変換する撮像素子、１５は撮像素子１４の感度を設定する撮像感度調節手段である。
【００１２】
１６は撮像素子１４のアナログ信号出力をディジタル信号に変換するＡ／Ｄ変換器、１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１３】
変倍系レンズ群１０による変倍率はＷｉｄｅ端からＴｅｌｅ端までを４分割し、Ｗｉｄｅ端とＴｅｌｅ端を含めて５ポジションの変倍を可能とする構成を採用している。
【００１４】
２０は画像処理回路であり、Ａ／Ｄ変換器１６からのデータ或いはメモリ制御回路２２からのデータに対して所定の画素補間処理や色変換処理を行う。
【００１５】
また、画像処理回路２０においては、撮像した画像データを用いて所定の演算処理を行い、得られた演算結果に基づいてシステム制御回路５０が自動露出制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１６】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１７】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１８】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１９】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２０】
画像表示部２８を用いて撮像した画像データを逐次表示すれば、電子ファインダ機能を実現することが可能である。
【００２１】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２２】
３０は撮影した静止画像や動画像を格納するためのメモリであり、所定枚数の静止画像や所定時間の動画像を格納するのに十分な記憶量を備えている。
【００２３】
これにより、複数枚の静止画像を連続して撮影する連射撮影やパノラマ撮影の場合にも、高速かつ大量の画像書き込みをメモリ３０に対して行うことが可能となる。
【００２４】
また、メモリ３０はシステム制御回路５０の作業領域としても使用することが可能である。
【００２５】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２６】
４０は絞り機能を備えるシャッター１２、タイミング発生回路１８による撮像素子１４の電荷排出動作から読み出し動作までの蓄積時間を制御する電子シャッター制御手段及び、撮像感度調節手段１５を制御する自動露出制御手段であり、フラッシュ４８と連携することによりフラッシュ調光機能も有するものである。
【００２７】
４２は合焦系レンズ１１のフォーカシングを制御する測距制御手段、４４は変倍系レンズ１０のズーミングを制御するズーム制御手段、４６はバリアである保護手段１０２の動作を制御するバリア制御手段である。
【００２８】
３００は、傾斜センサであり、カメラ自身の姿勢を検知する。
【００２９】
４８はフラッシュであり、ＡＦ補助光の投光機能、フラッシュ調光機能も有する。
【００３０】
自動露出制御手段４０、測距制御手段４２はＴＴＬ方式を用いて制御されており、撮像した画像データを画像処理回路２０によって演算した演算結果に基づき、システム制御回路５０が自動露出制御手段４０、測距制御手段４２に対して制御を行う。自動露出制御手段４０の詳細については後に述べることとする。
【００３１】
５０は画像処理装置１００全体を制御するシステム制御回路、５２はシステム制御回路５０の動作用の定数、変数、プログラム等を記憶するメモリである。
【００３２】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３３】
また、表示部５４は、その一部の機能が光学ファインダ１０４内に設置されている。
【００３４】
表示部５４の表示内容のうち、ＬＣＤ等に表示するものとしては、シングルショット／連写撮影表示、長秒時撮影表示、夜景撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、（赤目緩和ランプ点灯、前回の撮影からの）経過時間表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３５】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００３６】
５６は電気的に消去・記録可能な不揮発性メモリであり、例えばＥＥＰＲＯＭ等が用いられる。
【００３７】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００３８】
ここで、これらの操作手段の具体的な説明を行う。
【００３９】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４０】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４１】
６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４２】
６６は画像表示ＯＮ／ＯＦＦスイッチで、画像表示部２８のＯＮ／ＯＦＦを設定することが出来る。
【００４３】
この機能により、光学ファインダ１０４を用いて撮影を行う際に、ＴＦＴ  ＬＣＤ等から成る画像表示部への電流供給を遮断することにより、省電力を図ることが可能となる。
【００４４】
６８はクイックレビューＯＮ／ＯＦＦスイッチで、撮影直後に撮影した画像データを自動再生するクイックレビュー機能を設定する。尚、本実施形態では特に、画像表示部２８をＯＦＦとした場合におけるクイックレビュー機能の設定をする機能を備えるものとする。
【００４５】
６７、６９は夫々変倍系レンズ群１０の駆動方向を指示するＴｅｌｅ  Ｓｗ及び、Ｗｉｄｅ  Ｓｗである。Ｔｅｌｅ  Ｓｗ及びＷｉｄｅ  Ｓｗは、機械的に何れか一方のＳｗのみがＯＮ状態になるように構成されるものとする。
【００４６】
７０は各種ボタンやタッチパネル等からなる操作部で、メニューボタン、セットボタン、マクロ／非マクロ切り替えボタン、マルチ画面再生改ページボタン、フラッシュ設定ボタン、単写／連写／セルフタイマー／長秒時（スローシャッター）／モード切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン等がある。
【００４７】
ところで余談ではあるが、フラッシュ設定には、自動発光／強制発光／発行禁止／赤目緩和自動発光／夜景発光モードが存在する。ここで、上記撮影モード切り替えボタンでスローシャッターモードに切り替えた時にフラッシュモードを自動的に発光禁止モードに切り替えたりする構成をとるのはカメラの設計方針でどの組み合わせで行っても構わない。すべてを使用者の設定に任せるのは言うまでもない。
【００４８】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００４９】
８２及び８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００５０】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５１】
尚、本実施形態では記録媒体を取り付けるインタフェース及びコネクタを２系統持つものとして説明している。勿論、記録媒体を取り付けるインタフェース及びコネクタは、単数或いは複数、いずれの系統数を備える構成としても構わない。また、異なる規格のインタフェース及びコネクタを組み合わせて備える構成としても構わない。
【００５２】
インタフェース及びコネクタとしては、ＰＣＭＣＩＡカードやＣＦ（コンパクトフラッシュ(登録商標)）カード等の規格に準拠したものを用いて構成して構わない。
【００５３】
さらに、インタフェース９０及び９４、そしてコネクタ９２及び９６をＰＣＭＣＩＡカードやＣＦ（コンパクトフラッシュ(登録商標)）カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。
【００５４】
１０２は、画像処理装置１００の変倍系レンズ１０及び、合焦系レンズ１１を含む撮像部を覆う事により、撮像部の汚れや破損を防止するバリアである保護手段である。
【００５５】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示、マクロ撮影設定表示等が設置されている。
【００５６】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。
【００５７】
１１２は通信手段１１０により画像処理装置１００を他の機器と接続するコネクタ或いは無線通信の場合はアンテナである。
【００５８】
２００はメモリカードやハードディスク等の記録媒体である。
【００５９】
記録媒体２００は、半導体メモリや磁気ディスク等から構成される記録部２０２、画像処理装置１００とのインタフェース２０４、画像処理装置１００と接続を行うコネクタ２０６を備えている。
【００６０】
２１０はメモリカードやハードディスク等の記録媒体である。
【００６１】
記録媒体２１０は、半導体メモリや磁気ディスク等から構成される記録部２１２、画像処理装置１００とのインタフェース２１４、画像処理装置１００と接続を行うコネクタ２１６を備えている。
【００６２】
図１〜３を参照して、実施形態の動作を説明する。
【００６３】
図２は本実施形態の画像処理装置１００の主ルーチンのフローチャートを示す。
【００６４】
図２を用いて、画像処理装置１００の動作を説明する。
【００６５】
モードダイアル６０を電源ＯＦＦの状態から電源ＯＮの状態（撮像モード）にすると、システム制御回路５０がモードダイアルの状態を検出する（Ｓ１０１）。
【００６６】
次に６２のシャッタースイッチＳＷ１が押されたら（Ｓ１０２）、システム制御回路５０は、撮像手段を起動し（Ｓ１０３）、撮像素子１４からの画像信号データを用いて所定の演算処理を行い、得られた演算結果に基づいて測距制御手段に対し測距処理を行って合焦系レンズ１１の焦点を被写体に合わせ、ＡＦ制御を行う（Ｓ１０４）。
【００６７】
続いて、システム制御回路５０は、露出制御手段４０を起動して、適正露出にするように絞り手段、シャッター手段を行って、絞り制御（ＡｖＡＥ）値、シャッター制御（ＴｖＡＥ）値、撮像感度（ＳｖＡＥ）値から、被写体輝度（ＢｖＡＥ）値を算出するＡＥ制御を行う（Ｓ１０５）。次に、システム制御回路５０は、撮像素子１４からの画像信号データを用いて所定の演算処理を行い、得られた演算結果がホワイトバランスとして適正と判断されるまで画像処理回路２０を用いて、ＡＷＢ（オートホワイトバランス）制御を行う（Ｓ１０６）。
【００６８】
次に、６２のシャッタースイッチＳＷ２が押されたら（Ｓ１０７）、システム制御回路５０は、ストロボ制御手段４９と露出制御手段４０を起動して、適正に調光できるようにＥＦ制御（Ｓ２００）を行う。次に、記録する画像を撮影するための本露光を行う（Ｓ１０８）。最後に、インタフェース９０或いは９４、コネクタ９２或いは９６を介して、メモリカードやコンパクトフラッシュ(登録商標)カード等の記録媒体２００或いは２１０へ画像データの書き込みを行う（Ｓ１０９）。６２のシャッタースイッチＳＷ２が押されない場合、ＳＷ２が押されるまで待機する。
【００６９】
次に、ＥＦ制御について図３を用いて説明する。
【００７０】
システム制御回路５０は、ＡＥ制御での露出制御値ＡｖＡＥ値、ＴｖＡＥ値、ＳｖＡＥ値（Ｓ２０１）、またＡＦ制御での被写体までの距離情報（Ｌ）値、位置情報（Ｓ２０２）、傾斜センサによりカメラの姿勢情報（Ｓ２０３）を取得する。次にシステム制御回路５０は、露出制御手段４０を起動し、絞り機能を備えるシャッター１２を制御して絞り制御１を行う（Ｓ２０４）。絞りは、小絞り・開放の２ポイントしかないので、システム制御回路５０は、ＡＦ制御での距離情報（Ｌ）を基に、切り替えポイント式で決定した絞りと、ＡＥ制御での絞り（ＡｖＡＥ）値を比較し、小絞り側を選択しプリ発光時の絞り（ＡｖＰｒｅ）値を得る。これは、被写体が近すぎたり、反射率が高すぎる場合を想定して、プリ発光時にオーバーフローしないようにするためである。切り替えポイント（Ｌｐ）の式を以下に示す。
【００７１】
Ｌｐ＝−Ｌｘ×Ｚｐ＋Ｌｙ
Ｚｐ＝ＺｏｏｍＰｏｓｉｔｉｏｎ
Ｌｘ、Ｌｙ＝所定値
Ｌ（ＡＦからの距離情報）≧Ｌｐの時  開放
Ｌ                          ＜Ｌｐの時  小絞り
【００７２】
次に、露出制御手段４０は、撮像感度調節手段１５を制御してＰＤＧ（プリ発光時のゲイン）演算を行う（Ｓ２０５）。システム制御回路５０は、ＡＦ制御での距離情報（Ｌ）と絞り制御での絞りを基に下記の関数式から求めＰＤＧを算出する。関数式を以下に示す。
【００７３】
ＤｅｌｔａＧａｉｎ＝２×Ｌｏｇ２（Ｌ／１００）＋Ｇｎ＋Ｌｏｇ２（Ｚｐ／Ｚ＋１）
Ｇｎ＝所定値
Ｚ＝ＺｏｏｍＰｏｓｉｔｉｏｎ数
【００７４】
次に、露出制御手段４０は、絞り機能を備えるシャッター１２を制御し、上記露出制御値算出手段が、図示していないがプログラム線図から、絞り制御（ＡｖＰｒｅ）値，ＰＤＧを基にプリ発光時のシャッター制御（ＴｖＰｒｅ）値を解析して算出し、シャッター制御１を行う（Ｓ２０６）。
【００７５】
次に、システム制御回路５０は撮像素子１４から撮像した電荷信号を読み出す。画像処理回路２０は、Ａ／Ｄ変換器１６を介して逐次読み込まれる撮影画像データをシステム制御回路５０に予め設定された複数の分割された領域毎に光束積分演算を行う。
【００７６】
測光手段は、システム制御回路５０のメモリ５２にプログラミングされ、上記光束積分演算出力から１画素単位の積分値に換算した後、分割された領域の面積比率に応じた各測光枠毎の評価値を演算する。
【００７７】
前記測光手段により、定常光測光を行い、各測光枠毎の評価値を演算する（Ｓ２０７）。
【００７８】
次に、システム制御回路５０は、ストロボ制御回路４９を起動して、ストロボ４８を制御して所定時間で発光させプリ発光を行う（Ｓ２０８）、発光時間は一定である。その後、上記の定常光測光と同等の制御、演算で、プリ発光測光を行い、各測光枠毎の評価値を演算する（Ｓ２０９）。
【００７９】
次に、システム制御回路５０は、カメラの姿勢を確認し（Ｓ２１０）、縦位置であれば、縦位置用重み付けテーブルを選択し（Ｓ２１１）、横位置であれば、横位置用重み付けテーブルを選択し（Ｓ２１２）、選択した重み付けテーブルを前記定常光測光・プリ発光測光時の夫々の各測光枠毎の評価値にかけ、夫々、定常光輝度値（ＹＤＬ）、プリ発光輝度値（ＹＦＬ）を演算する（Ｓ２１３）。重み付けテーブルを図４、図５に示す。重み付けテーブルは、カメラの姿勢、被写体の位置別に持っている。ポートレートモード時のテーブルを示している。
【００８０】
次に、システム制御回路５０は、ＡＦからの距離情報が所定距離未満であればプリ発光時の絞り制御（ＡｖＰｒｅ）値、所定距離以上であればＡＥ制御での絞り制御（ＡｖＡＥ）値を選択し直し、本発光時の絞り制御（Ａｖ）値とする。次に、露出制御値算出手段を起動して、図示していないがプログラム線図から、Ａｖ値を基に本発光時のシャッター制御（Ｔｖ）値を解析して算出しなおし、Ａｖ、Ｔｖを本発光露出制御値とする（Ｓ２１４）。
【００８１】
次に、システム制御回路は、ＰＤＧ分、ＡｖとＡｖＰｒｅ、ＴｖとＴｖＰｒｅの差から補正値（ＡｖＤＧ＿Ｈｏｓｅｉ、ＡｖＴｖＤＧ＿Ｈｏｓｅｉ）を演算する。次に定常光、Ｐｒｅ発光測光結果からの定常光輝度値（ＹＤＬ）、プリ発光輝度値（ＹＦＬ）、前記補正値（ＡｖＤＧ＿Ｈｏｓｅｉ、ＡｖＴｖＤＧ＿Ｈｏｓｅｉ）、目標レベル（Ｙｒｅｆ）からストロボ発光量（ΔＥＦ）を演算する。以下に計算式を示す。
【００８２】
ΔＥＦ＝Ｌｏｇ２（（ＹＦＬ−ＹＤＬ）×ＡｖＤＧ＿Ｈｏｓｅｉ）／（Ｙｒｅｆ−ＹＤＬ×ＡｖＴｖＤＧ＿Ｈｏｓｅｉ））
システム制御回路５０は、メモリ５２にプログラミングされているストロボ発光量（ＥＦ＿ＥＶ）と発光時間のテーブルから、上記で算出されたΔＥＦに相当する発光時間（Ｔｉｍｅ）を直線補間によって求める（Ｓ２１５）。
【００８３】
システム制御回路５０は、露出制御手段４０を起動し、本発光時の絞り制御値（Ａｖ）から絞り機能を備えるシャッター１２を制御して絞り制御２を行い（Ｓ２１６）、本発光時のシャッター制御値からシャッター制御２を行う（Ｓ２１７）。
【００８４】
最後に、システム制御回路５０は、ストロボ制御回路４９を起動して、ストロボ４８を制御して、前記で算出した本発光時間（Ｔｉｍｅ）で発光させる（Ｓ２１８）。
【００８５】
以上、図を用いて本発明の実施形態の説明を行った。
【００８６】
尚、本実施形態において、記録媒体２００及び２１０は、ＰＣＭＣＩＡカードやコンパクトフラッシュ(登録商標)等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等で構成されていても勿論問題無い。また、記録媒体２００及び２１０がメモリカードとハードディスク等が一体となった複合媒体であっても勿論問題無い。さらに、その複合媒体から一部が着脱可能な構成としても勿論問題無い。そして、実施形態の説明においては、記録媒体２００及び２１０は画像処理装置１００と分離していて任意に接続可能な着脱可能な記録媒体として説明したが、いずれか或いは全ての記録媒体が画像処理装置１００に固定したままとなっていても勿論問題無い。また、画像処理装置１００に記録媒体２００或いは２１０が、単数或いは複数の任意の個数接続可能な構成であっても構わない。
【００８７】
そして、画像処理装置１００に記録媒体２００及び２１０が装着する構成として説明したが、記録媒体は単数或いは複数の何れの組み合わせの構成であっても、勿論問題無いことを付け加えておく。
【００８８】
更に、本実施形態においては画像表示を本装置内の画像表示部で行っているが、ＴＦＴ  ＬＣＤ等から成る画像表示部２８の変わりにビデオアンプとビデオ信号出力端子を備えて、装置外部の表示装置に表示する場合や、通信手段１１０及び、コネクタ１１２を用いて外部装置に画像データを転送して表示を行う場合においても同じ効果を発揮する。
【図面の簡単な説明】
【００８９】
【図１】本発明の実施形態の構成ブロック図である。
【図２】本実施形態の主ルーチンのフローチャートの一部である。
【図３】本実施形態のＥＦ制御のフローチャートである。
【図４】縦位置用ＥＦ重み付けテーブルである。
【図５】横位置用ＥＦ重み付けテーブルである。
【符号の説明】
【００９０】
１０  変倍系レンズ
１１  合焦系レンズ
１２  シャッター
１４  撮像素子
１５  撮像感度調整手段
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  自動露出制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２  
６６  画像表示ＯＮ／ＯＦＦスイッチ
６７  変倍レンズ駆動方向指示スイッチ（Ｔｅｌｅ）  
６８  クイックレビューＯＮ／ＯＦＦスイッチ
６９  変倍レンズ駆動方向指示スイッチ（Ｗｉｄｅ）  
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
３００  傾斜センサ
【図１】
2006135391.tif 000003
【図２】
2006135391.tif 000004
【図３】
2006135391.tif 000005
【図４】
2006135391.tif 000006
【図５】
2006135391.tif 000007